(57)【要約】【課題】  身体の各部位に自在にフィットさせて好適な血行促進効果、新陳代謝効果等を及ぼすことができとともに、磁石体を半永久的に使用することができ、かつ磁石体を配設する衣類等の身回品を容易に洗濯することもでき、さらには従来不可能であった身体内部に対しても磁気作用を与えることが可能で極めて効果的な磁気治療効果を発揮することのできる磁気治療器を提供する。【解決手段】  身体に装着する衣類４の内側に可撓性を有し両面着磁された磁石体１２を配置するとともに、衣類の外側に可撓性を有し片面着磁された磁石体１３を配置して、磁石体１２と磁石体１３を磁着させ固定させる。磁石体１２における衣類装着者の身体側の面からは磁界が身体に及び磁気治療効果を発揮する。【選択図】図５
2006026376.tif 000002
【特許請求の範囲】
【請求項１】
衣類の内側に配置され磁界を衣類装着者の身体に及ぼさせる磁石体と、衣類の外側に配置され前記磁石体と磁着して共に前記衣類に固定される軟磁性体若しくは他の磁石体からなることを特徴とする磁気治療器。
【請求項２】
衣類の内側に配置され磁界を衣類装着者の身体に及ぼし、外周縁を周回状に縁取る外周領域とその内側領域とを形成してそれぞれ異極着磁してなる磁石体と、衣類の外側に配置され前記磁石体と磁着して共に前記衣類に固定される前記磁石体と対称のＮ極とＳ極の磁気パターンからなる他の磁石体若しくは軟磁性体からなることを特徴とする磁気治療器。
【請求項３】
衣類の内側に配置される磁石体は両面着磁とし、かつ衣類の外側に配置される他の磁石体は前記磁石体と対抗する面のみの片面着磁とすることを特徴とする請求項１又は２記載の磁気治療器。
【請求項４】
磁石体の衣類側の面には、位置ずれしないように摩擦係数の高いコーティング剤を塗布し、かつ磁石体における衣類装着者の皮膚に接触する面には、皮膚に悪影響を及ぼさないコーティング剤を塗布することを特徴とする請求項１又は２記載の磁気治療器。
【請求項５】
磁石体は、磁性材からなる開閉自在な収納ケース内に同極同志を相対向させて収納することを特徴とする請求項１又は２記載の磁気治療器。
【請求項６】
磁界を衣類・装具装着者の身体に及ぼさせるべく衣類・装具に形成された磁石体収納部に収納された磁石体は、その衣類・装具装着者の身体側の面のみに外周縁を周回状に縁取る外周領域とその内側領域とを形成してそれぞれ異極着磁してなることを特徴とする磁気治療器。
【発明の詳細な説明】
【技術分野】
【０００１】
本発明は、身体に装着して磁界を及ぼす磁石を用いた磁気治療器に係り、特に身体の各部位にフィットするとともに身体のあらゆる動きにも対応し、かつ身体内部にも磁気作用を与えることが可能で極めて効果的な磁気治療効果を発揮することのできる磁気治療器に関する。
【背景技術】
【０００２】
従来から、磁石の磁界を人体に及ぼすことにより血行が促進されるなどの効果が注目されており、そのため身体に接着自在な絆創膏に１粒の焼結磁石を配置したり、シート上に複数の粒状の焼結磁石を配置したりしてこれを身体に装着することで、その近傍の血行を促進してコリをほぐす等の効果を発揮させる磁気治療器が存在している。
【特許文献１】特開昭５６−６０５７１号公報
【発明の開示】
【発明が解決しようとする課題】
【０００３】
しかし上述した従来の絆創膏型の磁気治療器にあっては、磁石が小径であることから１粒の焼結磁石による血行促進の効果は狭い範囲に限られてしまい、広い身体部位に効果を及ぼしたい場合には数多くのこの種磁気治療器を貼らなければならない。
また、シート上に複数の焼結磁石を配置する磁気治療器にあっては、大きいほど身体の広い範囲に血行促進効果を及ぼすことができるものの、大きくなるにつれ装着し得る身体部位が限られてしまい、例えば腰用とか肩用とかの特定部位専用となってしまい、身体のどこの部位にも使用できるという汎用性が失われるとともに、微妙な曲面状の人体部位にフィットさせることは困難である。
さらに、絆創膏型の磁気治療器にあっては、絆創膏の粘着作用が失われると廃棄するしかなく、その磁石体を再利用することが難しく、またシート（若しくは衣類）上に焼結磁石を配置する磁気治療器にあっては、汚れても磁石体が装着されたままでは洗濯することが極めて困難であるという問題があった。
さらには従来のこの種磁気治療器は、身体の表面個所一方向より身体表層部の一部に対し磁気作用を及ぼし血行促進効果等の磁気治療効果を発揮せんとするものであって、身体における脚部、腕部、胴体部等の身体内部に対しても磁気を通過させて、より一層効果的な磁気治療効果を発揮せんとする磁気治療器は皆無であった。
【０００４】
そこで本発明は、身体の各部位に自在にフィットさせて好適な血行促進効果、新陳代謝効果等を及ぼすことができとともに、磁石体を半永久的に使用することができ、かつ磁石体を配設する衣類等の身回品を容易に洗濯することもでき、さらには従来不可能であった身体内部に対しても磁気作用を与えることが可能で極めて効果的な磁気治療効果を発揮することのできる磁気治療器を提供することを目的とする。
【課題を解決するための手段】
【０００５】
前述の目的を達成するため、本発明の磁気治療器は、衣類の内側に配置され磁界を衣類装着者の身体に及ぼさせる磁石体と、衣類の外側に配置され前記磁石体と磁着して共に前記衣類に固定される軟磁性体若しくは他の磁石体からなることを特徴とするものである。
【０００６】
または、衣類の内側に配置され磁界を衣類装着者の身体に及ぼし、外周縁を周回状に縁取る外周領域とその内側領域とを形成してそれぞれ異極着磁してなる磁石体と、衣類の外側に配置され前記磁石体と磁着して共に前記衣類に固定される前記磁石体と対称のＮ極とＳ極の磁気パターンからなる他の磁石体若しくは軟磁性体からなることを特徴とするものである。
【０００７】
また、衣類の内側に配置される磁石体は両面着磁とし、かつ衣類の外側に配置される他の磁石体は前記磁石体と対抗する面のみの片面着磁とすることを特徴とするものである。
【０００８】
また、磁石体の衣類側の面には、位置ずれしないように摩擦係数の高いコーティング剤を塗布し、かつ磁石体における衣類装着者の皮膚に接触する面には、皮膚に悪影響を及ぼさないコーティング剤を塗布することを特徴とするものである。
【０００９】
また、磁石体は、磁性材からなる開閉自在な収納ケース内に同極同志を相対向させて収納することを特徴とするものである。
【００１０】
また、磁界を衣類・装具装着者の身体に及ぼさせるべく衣類・装具に形成された磁石体収納部に収納された磁石体は、その衣類・装具装着者の身体側の面のみに外周縁を周回状に縁取る外周領域とその内側領域とを形成してそれぞれ異極着磁してなることを特徴とするものである。
【発明の効果】
【００１１】
以上詳述の如く、本発明の磁気治療器によれば、衣類の内側に配置され磁界を衣類装着者の身体に及ぼさせる磁石体と、衣類の外側に配置され前記磁石体と磁着して共に前記衣類に固定される軟磁性体若しくは他の磁石体からなることで、一定程度の大きさの磁石体を通常の衣類に自在に磁着させ、身体形状にフィットした状態で広い身体部位に磁石の磁界による効果を及ぼすことが可能となる。そして、磁石体は衣類に対して着脱自在であることから、どちらも常に清潔に保つことができる。
【００１２】
または、衣類の内側に配置され磁界を衣類装着者の身体に及ぼし、外周縁を周回状に縁取る外周領域とその内側領域とを形成してそれぞれ異極着磁してなる磁石体と、衣類の外側に配置され前記磁石体と磁着して共に前記衣類に固定される前記磁石体と対称のＮ極とＳ極の磁気パターンからなる他の磁石体若しくは軟磁性体からなることで、磁気治療器の使用者には磁石の磁界による好適な血行促進効果、新陳代謝効果が得られる一方、衣類の外側に対する内側領域からの磁界は外周領域に引き寄せられて磁界が小さくなり、これにより磁気漏洩が減少し電子機器等に対する障害を発生させる虞がなくなるものである。また、外周縁を周回状に縁取る領域とその内側領域とを異極とする磁石体と、この磁石体と対称のＮ極とＳ極の磁気構成からなる他の磁石体を、衣類を挟んで磁着させた場合には、互いに縦・横に位置ズレを生じることなく重なり合って固定される。
【００１３】
また、衣類の内側に配置される磁石体は両面着磁とし、かつ衣類の外側に配置される他の磁石体は前記磁石体と対抗する面のみの片面着磁とすることで、衣類の内側に配置される磁石体における他の磁石体側の面と、衣類の外側に配置される他の磁石体における磁石体側の面とは異極同士が吸引して磁着するとともに、衣類の内側に配置される磁石体における衣類装着者の身体側の面からは、身体部位に磁界による効果を及ぼすことが可能となる。
【００１４】
また、磁界を衣類・装具装着者の身体に及ぼさせるべく衣類・装具に形成された磁石体収納部に収納された磁石体は、その衣類・装具装着者の身体側の面のみに外周縁を周回状に縁取る外周領域とその内側領域とを形成してそれぞれ異極着磁してなることで、磁石体における衣類・装具装着者の身体側の面からは、身体部位に磁界による効果を及ぼすとともに、磁石体の内側領域から衣類・装具の外側に向かう磁界は磁石体内を通じて外周領域に引き寄せられることで磁石体の外に漏れる漏洩磁界が小さくなる。これにより磁気漏洩が減少し、電子機器等に対する障害を発生させる虞がなくなるものである。
【発明を実施するための最良の形態】
【００１５】
図１及び図２は、本発明の磁気治療器の第１の実施例を示し、この磁気治療器１は、バインダーとして作用する熱可塑性樹脂に磁性粉を混入して成形しこれを厚さ２〜３ｍｍ、長さ１００〜１５０ｍｍ程度の略短冊状にした可撓性を有する上下の厚さ方向にＳ−Ｎと両面着磁した磁石体２（衣類の内側に配置する）と、これと同一材質でほぼ同一形状からなり片面着磁した磁石体３（衣類の外側に配置する）の２個一組からなるものである。図２は、この磁石体２、３からなる磁気治療器１の使用状態を示し、衣類４の内側に両面着磁した磁石体２を配置するとともに、衣類４の外側に片面着磁した磁石体３を配置して、磁石体２と磁石体３を磁着させ固定するものである。
この磁石体２、３の表裏面には、着磁された極性を示す「Ｎ」、「Ｓ」の表示体５が形成されている。そして、衣類４の内側の磁石体２が直接皮膚に触れても、皮膚に影響を及ぼさない樹脂等（本実施例にあってはアクリル・ウレタン系樹脂）でコーティングや、表面処理を行うこととする。また、磁気治療器１の使用中に磁石体２、３がずれないように、衣類側の面を摩擦係数の高いコート剤や樹脂等（本実施例にあってはウレタン樹脂）で被覆することとする。この磁気治療器１は、主に腕や脚に装着するのに好適な形状である。この磁気治療器１を衣類４に装着することで、その内側の身体部位には、磁石体２、３の合成された磁界が作用して磁界による好適な血行促進効果、新陳代謝効果が得られる。
【００１６】
磁石体２、３に使用する磁性粉としては、還元拡散法によって得られるＳｍ−Ｆｅ系合金粗粉を窒化処理し、微粉砕して得られるサマリウム・鉄・窒素系の磁性粉、還元拡散法によって得られるＳｍ−Ｃｏ系合金粗粉、液体急冷法によって得られるネオジウム−鉄−ボロン系磁性粉、ＨＤＤＲ（Hydrogenation-Disproportionation-Desorption-Recombination）法によって得られる異方性ネオジウム−鉄−ボロン系磁性粉、そしてバリウム−フェライト（ＢａＯ・６Ｆｅ2Ｏ3）やストロンチウム−フェライト（ＳｒＯ・６Ｆｅ2Ｏ3）などのフェライト磁石などであり、これらを単独、若しくは組み合わせて用いることとする。これら磁性粉末の粒径が１００μｍ以下の物を５０重量％以上含む組成物を用いると磁気特性が向上し、また等方性の磁性粉よりも磁場中成形する異方性の磁性粉の方が、配向特性の面で磁気特性がより一層向上するものである。
【００１７】
本発明にあっては、約５００℃の窒素ガス中にサマリウムと鉄との合金を置いて鉄の結晶格子に窒素を侵入させる等の方法で、鉄の原子間の距離を大きくして飽和磁化を高めたサマリウム・鉄・窒素系の希土類の含む永久磁石用素材であって、粉末状でかつ磁気異方性粒子となっている磁性粉を用いる。そして、この磁気異方性磁性粉をバインダーとして作用する熱可塑性樹脂に混入し、混練した組成物を押し出し成形機に投入して成形する。そして本実施例にあっては、表裏をそれぞれＮ極とＳ極に着磁しているが、勿論これに限定されることはなく、横方向にＮＳＮＳと２極配列させたものや、多極着磁させたものでもよいものである。
また、本実施例の磁石体としては、上述した可撓性を有するいわゆるマグネットシートだけでなく、可撓性を有する軟質材に小径な焼結磁石を多数貼り付けた構成としても同様の効果が得られるものである。さらに、磁石体の形状としても、短冊状のみならず、帯状、紐状等の長径なものであってもよい。そして、衣類４の外側に配置する磁石体３の代わりに磁化されていない可撓性を有する軟磁性体を配置しても、衣類の内側に配置する磁石体を固定することができるものである。
【００１８】
図３〜図５は、本発明の磁気治療器の第２の実施例を示し、この磁気治療器１１は、上述した第１の実施例の磁気治療器１と比較して、横幅が大径で、かつその左右部分がそれぞれＮ極とＳ極となるように両面着磁した磁石体１２（衣類の内側に配置する）と、これと同一材質でほぼ同一形状からなり片面着磁した磁石体１３（衣類の外側に配置する）の２個一組からなるものである。図５は、この磁石体１２、１３からなる磁気治療器１１の使用状態を示し、衣類４の内側に両面着磁した磁石体１２を配置するとともに、衣類４の外側に片面着磁した磁石体１３を配置して、磁石体１２と磁石体１３を磁着させ固定するものである。
そして、Ｎ極とＳ極が着磁されている部分には、着磁された極性を示す「Ｎ」、「Ｓ」の表示体１４を形成している。この磁気治療器１１は、その形状からして主に腰に用いるのに好適であり、図３は磁気治療器１１を衣類４に装着する状態を示している。これによれば、まず衣類４における腰に対応する部分の内側に第１の磁石体１２を位置させ、次に衣類４の外側から前記磁石体１２に重ね合わせるようにして磁石体１３を、相対向する磁着面が異極同志となる向きにして衣類４上に位置させることで、磁石体１２と磁石体１３が衣類４を挟んで磁着し、固定されるものである。また、衣類の外側に配置する磁石体１３の代わりに、磁化されていない軟磁性体を配置してもよいものである。
【００１９】
図６は、本発明の磁気治療器の第３の実施例を示し、この磁気治療器１５は、上述した第１の実施例の磁気治療器１に関して、衣類４の内側には第１の実施例と同様に上下の厚さ方向にＳ−Ｎと両面着磁した磁石体１６を配置するとともに、衣類４の外側に配置する磁石体１７の着磁パターンを図示するごとく、水平方向にＳ−Ｎ−Ｓとしたものである。そして、このように磁石体１６、１７を衣類４を挟んで磁着させることで、身体には磁石体１６、１７の合成された磁界が作用して磁界による好適な血行促進効果、新陳代謝効果が得られるとともに、衣類の外側に配置する磁石体１７における衣類の外側（図の上方）への磁界が小さくなることで、磁気漏洩が減少し電子機器等に対する障害を発生させる虞がなくなる。
【００２０】
そして、このようにして衣類に装着することで、衣類に固定された磁気治療器から身体に広く磁界が及ぶことで好適な磁気治療効果が発揮されるが、これに加えさらに効果的な磁気治療器の使用方法を図７〜図９に示す。すなわち、前述した第１の実施例の磁気治療器１を両脚（若しくは両腕でもよい）に装着されるように衣類４の左右に１対ずつ固定し、左脚２１に磁石体２と磁石体３とからなる第１の磁気治療器１1を、右脚２２に磁石体２と磁石体３とからなる第２の磁気治療器１2を、第１の磁気治療器１1の磁石体２のＮ極と第２の磁気治療器１2の磁石体２のＳ極とが相対向するように配置している。
【００２１】
図７は、第１の磁気治療器１1を装着した左脚２１と第２の磁気治療器１2を装着した右脚２２を平行にそろえた状態を示し、２３は第１の磁気治療器１1の磁石体２のＮ極と第２の磁気治療器１2の磁石体２のＳ極とによる使用者の身体に影響を及ぼす磁界の範囲を概念的に示している。この両脚が平行にそろった状態では、磁界２３の影響を受ける身体の部位は、左脚２１と右脚２２の中央部分内部である。
【００２２】
図８は、同じく第１の磁気治療器１1を装着した左脚２１と第２の磁気治療器１2を装着した右脚２２を示し、右脚２２が左脚２１よりも前に出た状態を示している。この状態では、磁界２３の影響を受ける身体の部位は、左脚２１の後方部分内部と右脚２２の前方部分内部である。
【００２３】
図９は、同じく第１の磁気治療器１1を装着した左脚２１と第２の磁気治療器１2を装着した左脚２１と右脚２２を示し、左脚２１が右脚２２よりも前に出た状態を示している。この状態では、磁界２３の影響を受ける身体の部位は、左脚２１の前方部分内部と右脚２２の後方部分内部である。
【００２４】
すなわち、左右１対の磁気治療器１を左脚２１と右脚２２に装着して歩くことで、左脚２１と右脚２２は、磁界２３により前方部分、中央部分、後方部分と脚部内部に全体的に満遍なく磁界の影響を受け、好適な血行促進効果、新陳代謝効果が得られるものである。
【００２５】
図１０及び図１１は、本発明の磁気治療器の第４の実施例を示し、この磁気治療器３１は、前述した第１の実施例の磁石体２と同形状、同材質からなるもので、着磁パターンを変えたものである。すなわち、外周縁を周回状に縁取る狭小な（幅数ｍｍ）外周領域３２ａと、その内側領域３２ｂとを異極とし、両面着磁した磁石体３２（衣類の内側に配置）と、同じく外周領域２３ａと、その内側領域３３ｂとを異極とし、片面着磁した磁石体３３（衣類の外側に配置）の２個一組とする。両面着磁した磁石体３２における裏面、すなわち衣類装着者の身体側の面は、図１０の磁石体３３と同じ着磁パターンとする。また、磁石体の表面に施すコーティングは、前述した第１の実施例と同一である。
【００２６】
図１１は、磁気治療器の第４の実施例における衣類４の内側に配置する両面着磁した磁石体３２と、衣類４の外側に配置する片面着磁した磁石体３３とが磁着した使用状態を示している。磁石体３２と磁石体３３の相対向する面の着磁パターンは、内側領域３２ｂ、３３ｂが異極同士で、かつ外周領域３２ａ、３３ａも異極同士であるので、互いに縦・横に位置ズレを生じることなく重なり合って磁着し固定される。そして、衣類の内側に配置する磁石体３２における衣類装着者の身体側の面からは、図１１の下方向（身体内部）に向かう磁界が生じるものである。
【００２７】
図１２は、図９に示す本発明の磁気治療器の第４の実施例をアレンジした第５の実施例であり、衣類４の内側に配置する両面着磁した磁石体３２は同一で、衣類４の外側に配置するものを磁石ではなく、磁石体３２が磁着し得る軟磁性体３４とするものである。磁石体２４における衣類側（外側）への磁界は、この軟磁性体３４を通じることとで磁界が小さくなり、磁気漏洩が減少するものである。
【００２８】
図１３は、同じく図１１に示す本発明の磁気治療器の第４の実施例をアレンジした第６の実施例であり、衣類４の内側に配置する両面着磁した磁石体３２は同一で、衣類４の外側に片面着磁した磁石体３５と、さらにその外側に軟磁性体３６を配置するものである。このように配置することで、図１１に示す第４の実施例において衣類４の外側に配置する磁石体３３から衣類の外側に向かう磁界を、軟磁性体３６に通じさせることで小さくさせ、磁気漏洩が一層減少するものである。
【００２９】
図１４は、本発明の磁気治療器１を構成する磁石体２、３を２組収納した状態の収納ケース４１を示している。この収納ケース４１は、スチール等の磁性体からなる第１の収納体４２と第２の収納体４３を丁番にて開閉自在とするケース本体４４と、磁石体２、３の形状にあわせて収納凹部を形成した発泡樹脂からなる成形体４５とから構成される。そして、成形体４５における磁石体２、３を収納する各凹部には、収納する磁石体２、３表面の極性を指示するＮ極、Ｓ極の表示体４６を形成している。このＮ極、Ｓ極の表示体４６にあわせて磁石体２を収納し、ケース本体４４を閉じると、相対向する磁石体２、３表面の極性は互いに同極となり、磁気的に反発しあうこととなる。このようにして、磁石体２、３を収納して閉じた状態の収納ケース４１からは、磁気が外部に漏洩しないこととなり、これによりこの収納ケース同志が磁着したり、電子機器に影響を及ぼしたりする恐れがなくなり、取り扱いが容易になるものである。また、収納ケース４１に収納した磁石体２、３は、成形体４５を介してケース本体４４と磁気的に吸引することから、開閉した状態で逆さまにしても落下しない等取り扱いに便宜である。
【００３０】
図１５は、本発明の磁気治療器の第７の実施例であり、この実施例において身体に磁気治療効果を発揮させる磁石体は、上述した第４の実施例における衣類の外側に配置する磁石体３３と同じであり、この磁石体３３における衣類装着者の身体側の面のみに片面着磁したものである。すなわち、周縁を周回状に縁取る狭小な（幅数ｍｍ）外周領域３３ａとその内側領域３３ｂとを形成してそれぞれ異極着磁させた磁石体３３を、衣類・装具４７（衣類のみならず、サポータ等の装具であってもよい）に設けた適宜な磁石体収納部４８に収納するものである。磁石体３３は、厚さ１．５〜３ｍｍ程度の上述した可撓性を有するマグネットシートからなり、衣類・装具４７の磁石体収納部４８に着脱自在に収納することで、身体形状にフィットした状態で広い身体部位に磁石の磁界による効果を及ぼすことができる。
そして、磁石体３３を上述した着磁パターンとすることで、その内側領域３３ｂから衣類・装具４７の外側に向かう磁界は磁石体３３内を通じて外周領域３３ａに引き寄せられることで磁石体３３から外に漏れる漏洩磁界が小さくなるものである。
【図面の簡単な説明】
【００３１】
【図１】本発明の磁気治療器の第１の実施例を示す正面図である。
【図２】本発明の磁気治療器の第１の実施例の使用状態を示す説明図である。
【図３】本発明の磁気治療器の第２の実施例を示す正面図である。
【図４】本発明の磁気治療器の第２の実施例の使用状態を示す説明図である。
【図５】本発明の磁気治療器の第２の実施例の使用状態を示す説明図である。
【図６】本発明の磁気治療器の第３の実施例の使用状態を示す説明図である。
【図７】本発明の磁気治療器の第１の実施例の使用状態を示す説明図である。
【図８】本発明の磁気治療器の第１の実施例の使用状態を示す説明図である。
【図９】本発明の磁気治療器の第１の実施例の使用状態を示す説明図である。
【図１０】本発明の磁気治療器の第４の実施例を示す正面図である。
【図１１】本発明の磁気治療器の第４の実施例を示す説明図である。
【図１２】本発明の磁気治療器の第５の実施例を示す説明図である。
【図１３】本発明の磁気治療器の第６の実施例を示す説明図である。
【図１４】本発明の磁気治療器における収納ケースを示す側断面図である。
【図１５】本発明の磁気治療器の第７の実施例を示す説明図である。
【符号の説明】
【００３２】
１  磁気治療器
２  磁石体
３  磁石体
４  衣類
５  表示体
１１  磁気治療器
１２  磁石体
１３  磁石体
１４  表示体
１５  磁気治療器
１６  磁石体
１７  磁石体
２１  左脚
２２  右脚
２３  磁界
３１  磁気治療器
３２  磁石体
３２ａ  外周領域
３２ｂ  内側領域
３３  磁石体
３３ａ  外周領域
３３ｂ  内側領域
４１  収納ケース
４２  第１の収納体
４３  第２の収納体
４４  ケース本体
４５  成形体
４６  表示体
４７  衣類・装具
４８  磁石体収納部
【図１】
2006026376.tif 000003
【図２】
2006026376.tif 000004
【図３】
2006026376.tif 000005
【図４】
2006026376.tif 000006
【図５】
2006026376.tif 000007
【図６】
2006026376.tif 000008
【図７】
2006026376.tif 000009
【図８】
2006026376.tif 000010
【図９】
2006026376.tif 000011
【図１０】
2006026376.tif 000012
【図１１】
2006026376.tif 000013
【図１２】
2006026376.tif 000014
【図１３】
2006026376.tif 000015
【図１４】
2006026376.tif 000016
【図１５】
2006026376.tif 000017